(57)【要約】【課題】利用者に応じて再生するコンテンツを適宜切換えて、効率的な宣伝を行なう。【解決手段】スマートフォン20を対象として距離を限定したビーコン信号を発信するブルートゥースコントローラ47、ブルートゥースアンテナ49と、ビーコン信号を受信したスマートフォン20の近接を検知し、検知したスマートフォン20から、ビーコン信号受信してからの時間情報を取得するＮＦＣ部40と、取得した時間情報に基づいて複数のコンテンツデータから１つを選択し、選択したコンテンツデータを投影系32〜36で再生させるＣＰＵ41とを備える。【選択図】図１
2017156873.tif 000002
【特許請求の範囲】
【請求項１】
識別情報を含む電波を発信する第１の通信手段と、
上記第１の通信手段で発信した識別信号を受信した携帯端末の近接を検知し、検知した携帯端末から、上記識別情報を受信してから上記近接を検知するまでの時間情報を取得する第２の通信手段と、
上記第２の通信手段で取得した時間情報に基づいてコンテンツデータを選択する選択手段と、
を備えることを特徴とするコンテンツ出力装置。
【請求項２】
上記選択手段で選択したコンテンツデータを再生させる再生制御手段をさらに備えることを特徴とする請求項１記載のコンテンツ出力装置。
【請求項３】
上記第２の通信手段は、近接を検知した携帯端末から、上記時間情報と携帯端末のユーザ情報を取得し、
上記選択手段は、上記第２の通信手段で取得した時間情報とユーザ情報とに基づいてコンテンツデータを選択する、
ことを特徴とする請求項１または２記載のコンテンツ出力装置。
【請求項４】
上記第２の通信手段は、近接を検知した携帯端末に対して、ポイントサービスにおけるポイントの情報を付与して発信することを特徴とする請求項１または２記載のコンテンツ出力装置。
【請求項５】
上記第２の通信手段は、ＮＦＣ（Ｎｅａｒ  Ｆｉｅｌｄ  Ｃｏｍｍｕｎｉｃａｔｉｏｎ）技術を用いることを特徴とする請求項１乃至４いずれか記載のコンテンツ出力装置。
【請求項６】
所定の識別情報を含む電波を発信する第１の通信工程と、
上記第１の通信工程で発信した識別信号を受信した携帯端末の近接を検知し、検知した携帯端末から、上記識別情報を受信してから上記近接を検知するまでの時間情報を取得する第２の通信工程と、
上記第２の通信工程で取得した時間情報に基づいてコンテンツデータを選択する選択工程と、
を有することを特徴とするコンテンツ出力方法。
【請求項７】
コンテンツを出力する装置が内蔵したコンピュータが実行するプログラムであって、上記コンピュータを、
識別情報を含む電波を発信する第１の通信手段、
上記第１の通信手段で発信した識別信号を受信した携帯端末の近接を検知し、検知した携帯端末から、上記識別情報を受信してから上記近接を検知するまでの時間情報を取得する第２の通信手段、及び
上記第２の通信手段で取得した時間情報に基づいてコンテンツデータを選択する選択手段、として機能させることを特徴とするプログラム。
【発明の詳細な説明】
【技術分野】
【０００１】
本発明は、コンテンツ出力装置、コンテンツ出力方法及びプログラムに関する。
【背景技術】
【０００２】
閲覧者に対し、印象を高めることができる映像出力装置搭載機器を提供するべく、例えば人の形をしたスクリーンに画像を投影するようにした技術が提案されている。（例えば、特許文献１）
【先行技術文献】
【特許文献】
【０００３】
【特許文献１】特開２０１１−１５０２２１号公報
【発明の概要】
【発明が解決しようとする課題】
【０００４】
上記特許文献に記載された技術を含めて、この種の映像出力装置では、画像や音声を視聴する利用者の年齢層や性別など、対象との内容に関係なく、画一的なコンテンツデータを再生する環境に陥りやすく、効率的な宣伝効果を得ることが難しいという不具合がある。
【０００５】
本発明は上記のような実情に鑑みてなされたもので、その目的とするところは、利用者に応じて再生するコンテンツを適宜切換えて、効率的な宣伝を行なうことが可能なコンテンツ出力装置、コンテンツ出力方法及びプログラムを提供することにある。
【課題を解決するための手段】
【０００６】
本発明の一態様は、識別情報を含む電波を発信する第１の通信手段と、上記第１の通信手段で発信した識別信号を受信した携帯端末の近接を検知し、検知した携帯端末から、上記識別情報を受信してから上記近接を検知するまでの時間情報を取得する第２の通信手段と、上記第２の通信手段で取得した時間情報に基づいてコンテンツデータを選択する選択手段と、を備えることを特徴とする。
【発明の効果】
【０００７】
本発明によれば、利用者に応じて再生するコンテンツを適宜切換えて、効率的な宣伝を行なうことが可能となる。
【図面の簡単な説明】
【０００８】
【図１】本発明の一実施形態に係るコンテンツ再生システム全体の構成を示す図。
【図２】同実施形態に係るサイネージ装置の主として電子回路の機能構成を示すブロック図。
【図３】同実施形態に係るスマートフォン内の電子回路の機能構成を示すブロック図。
【図４】同実施形態に係るスマートフォンで店舗内ポイントサービスのアプリケーションプログラム実行時の処理内容を示すフローチャート。
【図５】同実施形態に係るサイネージ装置における処理内容を示すフローチャート。
【図６】同実施形態に係るサイネージ装置からのビーコン信号を受信していないスマートフォンの状態を例示する図。
【図７】同実施形態に係るサイネージ装置からのビーコン信号を受信して専用のポイントサービス用アプリを起動した後のスマートフォンの状態を例示する図。
【図８】同実施形態に係るサイネージ装置のタッチ部に当接した後のスマートフォンでの表示例を示す図。
【図９】同実施形態に係るサイネージ装置のスクリーンパネルで投影される、サーバ装置から取得したコンテンツデータを例示する図。
【発明を実施するための形態】
【０００９】
以下、本発明を、店舗等で商品宣伝用のコンテンツを出力するためのコンテンツ再生システムに適用した場合の一実施形態について図面を参照して説明する。
【００１０】
図１は、本コンテンツ再生システム全体の構成を示す図である。同図において、１０は店舗内に設置されるサイネージ装置１０であり、インターネットを含むネットワークＮＷと接続されている。
【００１１】
ネットワークＮＷはさらに、上記サイネージ装置１０に対して各種コンテンツデータを提供するサーバ装置ＳＶ、携帯電話のセルラー電話システムを構成する基地局ＢＳとも接続される。上記サイネージ装置１０が設置される店舗の顧客が所持する携帯端末としてのスマートフォン２０は、最寄りの基地局ＢＳと接続される。
【００１２】
上記サイネージ装置１０は、本体筐体１０Ａ上に白色半透明板状のスクリーンパネル１０Ｂを立設し、当該スクリーンパネル１０Ｂの背面下方から画像を投影することにより、図示する如く人型の各種キャラクタや商品情報などの画像を任意に表示する。
【００１３】
またサイネージ装置１０の本体筐体１０Ａの前面には、ＮＦＣ（Ｎｅａｒ  Ｆｉｅｌｄ  Ｃｏｍｍｕｎｉｃａｔｉｏｎ）技術によるタッチ部１０Ｃを設ける。さらにこの本体筐体１０Ａからは、本体筐体１０Ａを中心とした一定の距離半径、例えば１０［ｍ］以内で通信可能なビーコン信号ＢＣを発信するものとする。このビーコン信号ＢＣは、例えばＢｌｕｅｔｏｏｔｈ（登録商標）  ＬＥ（Ｌｏｗ  Ｅｎｅｒｇｙ）規格に則って、上記した一定の距離以内に到達した受信装置で受信可能となる。
【００１４】
上記スマートフォン２０は、ＮＦＣ技術に対応するとともに、上記サイネージ装置１０が発信するビーコン信号ＢＣを受信するための通信回路を備える。このスマートフォン２０には、サイネージ装置１０からのビーコン信号ＢＣを受信した場合に自動的に起動される、上記サイネージ装置１０が設置された店舗のポイントサービス専用のアプリケーションプログラム（以下「アプリ」と称する）を予めインストール済みであるものとする。
【００１５】
次に図２により上記サイネージ装置１０の主として電子回路の機能構成を説明する。  
コンテンツメモリ３１には予め一般客向けの商品情報や、後述する顧客毎のお薦め商品の情報に関するコンテンツデータが記憶される。これらコンテンツデータはそれぞれ、画像データ及び音データ等から構成される。コンテンツデータ中の画像データは、後述するＣＰＵ４１により読出され、システムバスＳＢを介して投影画像駆動部３２に送られる。
【００１６】
上記投影画像駆動部３２は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子３３を表示駆動する。
【００１７】
このマイクロミラー素子３３は、ＭＥＭＳ（Ｍｉｃｒｏ  Ｅｌｅｃｔｒｏ  Ｍｅｃｈａｎｉｃａｌ  Ｓｙｓｔｅｍｓ）技術により製造され、アレイ状に配列された複数個、例えばＷＸＧＡ（横１２８０画素×縦８００画素）分の微小ミラーの各傾斜角度を個々に高速でオン／オフ動作して表示動作することで、その反射光により光像を形成する。
【００１８】
一方で、光源部３４から時分割でＲ，Ｇ，Ｂの原色光が循環的に出射される。光源部３４は、半導体発光素子であるＬＥＤを有し、Ｒ，Ｇ，Ｂの原色光を時分割で繰返し出射する。光源部３４が有するＬＥＤは、広義でのＬＥＤとして、ＬＤ（半導体レーザ）や有機ＥＬ素子を含むものとしても良い。
【００１９】
この光源部３４からの原色光が、ミラー３５で反射して上記マイクロミラー素子３３に照射される。そして、マイクロミラー素子３３での反射光で光像が形成され、形成された光像が投影レンズ部３６を介して上記スクリーンパネル１０Ｂに背面側から投射される。
【００２０】
上記タッチ部１０Ｃを含むＮＦＣ部４０が、上記システムバスＳＢと接続される。ＮＦＣ部４０は、上記スマートフォン２０等、予めこのサイネージ装置１０の提供サービスに登録されているＮＦＣ技術を用いた媒体が当接された場合にその媒体とのデータの送受を行なう。
【００２１】
上記各回路の動作すべてをＣＰＵ４１が制御する。このＣＰＵ４１は、メインメモリ４２及びプログラムメモリ４３と直接接続される。メインメモリ４２は、例えばＳＲＡＭで構成され、ＣＰＵ４１のワークメモリとして機能する。プログラムメモリ４３は、電気的書換可能な不揮発性メモリ、例えばフラッシュＲＯＭで構成され、ＣＰＵ４１が実行するアプリを含む動作プログラムや各種定型データ等を記憶する。
【００２２】
ＣＰＵ４１は、上記プログラムメモリ４３に記憶されている動作プログラムや定型データ等を読出し、メインメモリ４２に展開して記憶させた上で当該プログラムを実行することにより、このサイネージ装置１０を統括して制御する。
【００２３】
上記ＣＰＵ４１は、操作部４４からの操作信号に応じて各種投影動作を実行する。この操作部４４は、サイネージ装置１０の本体に備える、電源キーを含むいくつかの操作キーのキー操作信号を受付け、受付けた操作に応じた信号を上記ＣＰＵ４１へ送出する。
【００２４】
上記ＣＰＵ４１はさらに、上記システムバスＳＢを介して音処理部４５、ブルートゥース（登録商標）コントローラ４７、及び無線ＬＡＮインタフェース（Ｉ／Ｆ）４８と接続される。  
音処理部４５は、ＰＣＭ音源等の音源回路を備え、投影動作時に上記コンテンツメモリ３１から読出されるコンテンツデータ中の音データをアナログ化し、スピーカ部４６を駆動して放音させ、あるいは必要によりビープ音等を発生させる。
【００２５】
ブルートゥース（登録商標）コントローラ４７は、ブルートゥース（登録商標）ブルートゥースアンテナ４９を介して近距離に存在する上記スマートフォン２０等に対して上記ビーコン信号ＢＣを発信する。
【００２６】
無線ＬＡＮインタフェース４８は、無線ＬＡＮアンテナ５０を介して上記ネットワークＮＷと無線接続し、必要なデータの送受を行なう。
【００２７】
続く図３により上記スマートフォン２０内の電子回路の機能構成を示すブロック図について説明する。同図で、５１がこのスマートフォン２０全体の制御動作を司るＣＰＵである。このＣＰＵ５１に対して、バスラインＢＬを介して、プログラムメモリ５２、ワークメモリ５３、画像メモリ５４、撮像制御部５５、表示制御部５６、入力制御部５７、通信インタフェース（Ｉ／Ｆ）５８、ＮＦＣ部５９、及び外部デバイスインタフェース（Ｉ／Ｆ）６０と接続される。
【００２８】
プログラムメモリ５２は、不揮発性メモリで構成され、上記ＣＰＵ５１が動作するためのＯＳ及びアプリケーションプログラム、固定データ等を記憶する。
【００２９】
ワークメモリ５３は、例えばＤＲＡＭで構成され、上記ＣＰＵ５１のメインメモリとして機能する。
【００３０】
画像メモリ５４は、複数の画像データ等を格納している。  
上記撮像制御部５５は、レンズ光学系と例えばＣＭＯＳイメージセンサ等の固体撮像素子とで構成される撮像部６１での撮影動作を制御し、撮影により得られる画像信号をデジタル化、及びデータ圧縮を伴うデータファイル化した上で上記画像メモリ５４に記憶させる。
【００３１】
上記表示制御部５６は、表示する画像データを保持するためのＶＲＡＭ５６Ａを備え、ディスプレイ部６２を駆動して画像等を表示させる。ディスプレイ部６２は、バックライト付きのカラー液晶パネルとその駆動回路とで構成される。
【００３２】
このディスプレイ部６２に対して、透明電極膜を用いたタッチパネル部６３が一体に構成される。上記入力制御部５７は、タッチパネル部６３がユーザのタッチ操作に応じて出力する、時系列の座標信号をデジタル化して操作信号として上記ＣＰＵ５１へ送出する。
【００３３】
上記通信インタフェース５８は、アンテナ６４，６５，６６を用いて、第４世代携帯電話システム、ＩＥＥＥ８０２．１１ａ／ｂ／ｇ／ｎ規格の無線ＬＡＮ、及びＩＥＥＥ８０２．１５．１規格のブルートゥース（登録商標）の各技術に基づいた、それぞれ図示しないネットワークとの間での無線通信を行なう。
【００３４】
ＮＦＣ部５９は、電子マネーやポイントサービスのサービスカードとしてこのスマートフォン２０を機能させるべく、ＮＦＣ技術を用いて、他のＮＦＣ機器と当接された場合にデータの送受を行なう。
【００３５】
上記外部デバイスインタフェース６０は、マイクロＵＳＢ端子６７及びメモリカードスロット６８を介して、例えば外付けハードディスク装置やＵＳＢメモリ、メモリカードを接続または装着可能とする。
【００３６】
次に本実施形態の動作について説明する。  
なお以下に説明する動作において、上述したようにスマートフォン２０には予め当該店舗専用にポイントサービス専用のアプリがインストールされているものとする。当該アプリは、Ｂｌｕｅｔｏｏｔｈ（登録商標）  ＬＥ規格のＰＸＰ（ｔｈｅ  ＰｒｏＸｉｍｉｔｙ  Ｐｒｏｆｉｌｅ）と呼称される、対象のものが近くにあるかどうかを調べるためのプロファイル（アプリ上でどのように動くかを定めた仕様）を用いるものとする。
【００３７】
図４は、スマートフォン２０において、特に何らかのアプリを起動していない待受け状態から、ＣＰＵ５１が実行する処理内容の一部を示すフローチャートである。待受け状態から上記Ｂｌｕｅｔｏｏｔｈ（登録商標）  ＬＥ規格のＰＸＰプロファイルにより、ビーコン信号ＢＣが受信できるか否かを繰返し判断する（ステップＳ２０１）ことにより、当該店舗内のサイネージ装置１０への近接を待機している。
【００３８】
そして、このスマートフォン２０を所持する顧客が当該店舗内に入り、サイネージ装置１０からのビーコン信号ＢＣが受信可能となった時点で（ステップＳ２０１のＹｅｓ）、ＣＰＵ５１はあらためてポイントサービス専用のアプリを自動的に起動させる（ステップＳ２０２）。
【００３９】
これと共にＣＰＵ５１は、このアプリが起動してからの時間カウントを開始させる（ステップＳ２０３）。
【００４０】
このカウントする時間が、アプリで予め設定された一定時間、例えば１０分間に相当する６００［秒］に達したか否かにより、当該店舗に来店してからサイネージ装置１０に至るまでの設定時間をタイムオーバーしたか否かを判断する（ステップＳ２０４）。
【００４１】
ここでまだタイムオーバーとはなっていないと判断した場合（ステップＳ２０４のＮｏ）、ＣＰＵ５１は続いてＮＦＣ部５９を用いてサイネージ装置１０のタッチ部１０Ｃとの当接があったか否かを判断する（ステップＳ２０５）。
【００４２】
サイネージ装置１０のタッチ部１０Ｃとの当接がないと判断した場合（ステップＳ２０５のＮｏ）、ＣＰＵ５１は再び上記ステップＳ２０４からの処理に戻る。
【００４３】
こうしてステップＳ２０４，Ｓ２０５の処理を繰返し実行しながら、ＣＰＵ５１はタイムオーバーとなるか、またはサイネージ装置１０のタッチ部１０Ｃとの当接があるのを待機する。
【００４４】
上記ステップＳ２０５において、サイネージ装置１０のタッチ部１０Ｃとの当接があったと判断した場合（ステップＳ２０５のＹｅｓ）、ＣＰＵ５１はその時点でカウントしていた、先にビーコン信号ＢＣを受信してからの時間のカウント値を、このスマートフォン２０を所有する顧客の識別情報と共に、ＮＦＣ部５９を介してサイネージ装置１０へ送信する（ステップＳ２０６）。
【００４５】
その後にＣＰＵ５１は、サイネージ装置１０側から来店ポイントの加算を許可する信号を受信することで、当該店舗における来店ポイントを加算して、その加算結果をディスプレイ部６２で表示させる等の処理を実行する（ステップＳ２０７）。
【００４６】
その後にＣＰＵ５１は、当該アプリを一旦終了させた上で（ステップＳ２０８）、再び上記ステップＳ２０１からの処理に戻る。
【００４７】
また上記ステップＳ２０４において、サイネージ装置１０のタッチ部１０Ｃとの当接がないままにタイムオーバーとなったと判断した場合（ステップＳ２０４のＹｅｓ）、ＣＰＵ５１は直接上記ステップＳ２０８に進み、当該アプリを終了させた後に、再び上記ステップＳ２０１からの処理に戻る。
【００４８】
図６は、スマートフォン２０を所持するユーザが当該店舗内に入り、まだサイネージ装置１０からのビーコン信号ＢＣを受信していない場合のスマートフォン２０の状態を例示する図である。
【００４９】
サイネージ装置１０ではスクリーンパネル１０Ｂにおいて、予め設定された広告用のコンテンツ画像を投影している。一方のスマートフォン２０は、待受け状態となっており、この時点ではディスプレイ部６２での表示はされていない。
【００５０】
図７は、上記ビーコン信号ＢＣを受信して専用のポイントサービス用アプリを起動した後のスマートフォン２０の状態を例示する図である。
【００５１】
ここでは、これまでにこの店舗で得た来店ポイントが「１２」であり、さらなるポイント獲得のためにサイネージ装置１０のタッチ部１０Ｃへのタッチ操作を促すガイドメッセージをアプリに基づいてディスプレイ部６２で表示している。
【００５２】
図８は、その後にスマートフォン２０のＮＦＣ部５９をサイネージ装置１０のタッチ部１０Ｃに当接した場合のスマートフォン２０での表示例を示す図である。ここでは、来店ポイントが加算されて「１３」となったこと、及び１５ポイントとなると店舗側からプレゼントがあることをガイドメッセージによりディスプレイ部６２で表示している。
【００５３】
図５は、一方のサイネージ装置１０における処理内容を示すフローチャートである。その当初にサイネージ装置１０においては、ＣＰＵ４１が予め設定されているコンテンツデータをコンテンツメモリ３１から読出して再生させる（ステップＳ１０１）。
【００５４】
この場合、ＣＰＵ４１はコンテンツデータのうちの画像データを用いて、投影画像駆動部３２によりマイクロミラー素子３３で画像を表示させながら、光源部３４より光源光を出射させることで、投影レンズ部３６によりスクリーンパネル１０Ｂに対して画像を投影させる。
【００５５】
一方、ＣＰＵ４１はコンテンツデータのうちの音声データを用いて、音処理部４５によりアナログの音声信号を生成させ、スピーカ部４６により放音させる。
【００５６】
併せてＣＰＵ４１は、ブルートゥースコントローラ４７によりブルートゥースアンテナ４９を介して上記ビーコン信号ＢＣを発信させる。
【００５７】
さらにＣＰＵ４１は、ＮＦＣ部４０により上記タッチ部１０Ｃへのタッチがあるか否かを判断する（ステップＳ１０２）。
【００５８】
タッチ部１０Ｃへのタッチがないと判断した場合（ステップＳ１０２のＮｏ）、ＣＰＵ４１は上記ステップＳ１０１からの処理に戻る。
【００５９】
こうしてステップＳ１０１，Ｓ１０２の処理を繰返し実行し、コンテンツデータの再生とビーコン信号ＢＣの発信を行ないながら、タッチ部１０Ｃへのタッチがなされるのを待機する。
【００６０】
タッチ部１０Ｃへのスマートフォン２０のタッチがあったと判断した場合（ステップＳ１０２のＹｅｓ）、ＣＰＵ４１は上記無線ＬＡＮインタフェース４８、無線ＬＡＮアンテナ５０を介してネットワークＮＷ経由でサーバ装置ＳＶと接続し、スマートフォン２０から送られてくる、上記ビーコン信号ＢＣを受信してからの時間のカウント値とスマートフォン２０を所有する顧客の識別情報とをサーバ装置ＳＶに送信する（ステップＳ１０３）。
【００６１】
その後、ＣＰＵ４１はスマートフォン２０に対して来店ポイントを加算する処理を実行し、スマートフォン２０において上記図８に示したような更新した来店ポイントの内容を表示させる（ステップＳ１０４）。
【００６２】
次にＣＰＵ４１は、上記ステップＳ１０３で時間情報と顧客の識別情報とを送信したサーバ装置ＳＶから、応答として転送されてくるコンテンツデータを受信して取得する（ステップＳ１０５）。
【００６３】
このコンテンツデータは、上記サーバ装置ＳＶが、サイネージ装置１０からの時間情報と顧客の識別情報とに基づいて選択したものとなる。サーバ装置ＳＶでの選択基準として、時間情報に関して、例えば２つの閾値を用いて時間情報と比較することにより、スマートフォン２０がビーコン信号ＢＣを受信してからサイネージ装置１０のタッチ部１０Ｃにタッチするまでの時間を「短い」「中」「長い」のいずれかであると判定できる。
【００６４】
時間情報が「短い」と判定した場合、スマートフォン２０を所持する顧客はこの店舗に慣れており、サイネージ装置１０が設置されている場所等を予め熟知しているものとして、サーバ装置ＳＶは特に新製品やキャンペーン商品等のコンテンツデータを選択してサイネージ装置１０へ送信する。
【００６５】
また時間情報が「中」あるいは「長い」と判定した場合、スマートフォン２０を所持する顧客はこの店舗に不慣れであるか、あるいはサイネージ装置１０に設置されている場所に顧客が至る過程で気になる商品があったものとして、サーバ装置ＳＶは当該店舗の商品レイアウト等に対応して関連したコンテンツデータを選択してサイネージ装置１０へ送信する。
【００６６】
またサーバ装置ＳＶでの選択基準として、顧客の識別情報からは、来店回数、過去の購入商品の履歴等を参照し、上記時間情報の判定結果とも組み合わせて、より購買意欲を促進するようなお薦め商品のコンテンツを選択する。
【００６７】
サーバ装置ＳＶからのコンテンツデータを取得したサイネージ装置１０では、ＣＰＵ４１が取得したコンテンツデータをコンテンツメモリ３１に記憶させた上で、このコンテンツデータを再生させる（ステップＳ１０６）。
【００６８】
この場合、ＣＰＵ４１はコンテンツデータのうちの画像データを用いて、投影画像駆動部３２によりマイクロミラー素子３３で画像を表示させながら、光源部３４より光源光を出射させることで、投影レンズ部３６によりスクリーンパネル１０Ｂに対して画像を投影させる。
【００６９】
一方、ＣＰＵ４１はコンテンツデータのうちの音声データを用いて、音処理部４５によりアナログの音声信号を生成させ、スピーカ部４６により放音させる。
【００７０】
図９は、このときサイネージ装置１０のスクリーンパネル１０Ｂで投影される、サーバ装置ＳＶから取得したコンテンツデータを例示する図である。ここではスクリーンパネル１０Ｂにおいて、スマートフォン２０を所持する顧客に向けて、時計をお勧め商品としている文字ガイドメッセージを投影した場合を例示している。
【００７１】
ＣＰＵ４１は、このコンテンツデータの再生状態において、当該コンテンツの再生状態が一定時間、例えば３０［秒］経過したか否かを判断する（ステップＳ１０７）。コンテンツの再生状態が一定時間経過していないと判断した場合（ステップＳ１０７のＮｏ）、ＣＰＵ４１は上記ステップＳ１０６の処理に戻って、コンテンツの再生を継続する。
【００７２】
コンテンツの再生を継続して実行し、一定時間が経過したと判断した場合（ステップＳ１０７のＹｅｓ）、ＣＰＵ４１は以上でスマートフォン２０の本体筐体１０Ａへのタッチに対応した処理を終了するものとして、上記ステップＳ１０１からの処理に戻る。
【００７３】
以上詳述した如く本実施形態によれば、利用者に応じて再生するコンテンツを適宜切換えて、効率的な宣伝を行なうことが可能となる。
【００７４】
また上記実施形態では、時間情報と併せて、スマートフォン２０を所持する顧客個人の識別情報を用いてコンテンツデータを選択するものとしたので、顧客の属性や嗜好等を反映して、より適切なコンテンツデータを提供することができる。
【００７５】
さらに上記実施形態では、スマートフォン２０をサイネージ装置１０のタッチ部１０Ｃにタッチ操作することで、ポイントサービスにおける来店ポイントを自動的に付与できるものとしたので、来店促進を兼ねた顧客へのサービスとして導入することで、画一的ではないコンテンツの提供による宣伝効果を奏することができる。
【００７６】
また上記実施形態では、サイネージ装置１０とスマートフォン２０とをＮＦＣ技術を用いたタッチ操作により接続して通信するものとしたので、ポイントカードや、スマートフォン、タブレットなどの携帯端末を用いてシステムの構築が容易であり、ユーザ側も気軽に当該サービスに加入できる。
【００７７】
なお上記実施形態では、サイネージ装置１０がサーバ装置ＳＶから転送されてくる、スマートフォン２０を所持する顧客に応じて選択されたコンテンツデータを取得した上で、その再生を行なうものとして説明したが、本発明はそのようなシステム構成に限ることなく、サイネージ装置１０のコンテンツメモリ３１に予め各種のコンテンツデータを複数格納させておき、必要に応じてＣＰＵ４１がコンテンツメモリ３１から選択的にコンテンツデータを読出すものとしても良い。
【００７８】
また上記実施形態では、サイネージ装置１０がＤＬＰ（登録商標）（Ｄｉｇｉｔａｌ  Ｌｉｇｈｔ  Ｐｒｏｃｅｓｓｉｎｇ）方式のプロジェクタ技術を用いて画像の投影を行なう場合について例示したが、本発明はコンテンツを出力する方式や表示素子等を限定するものではない。
【００７９】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００８０】
以下に、本願出願の当初の特許請求の範囲に記載された発明を付記する。  
［請求項１］  
識別情報を含む電波を発信する第１の通信手段と、  
上記第１の通信手段で発信した識別信号を受信した携帯端末の近接を検知し、検知した携帯端末から、上記識別情報を受信してから上記近接を検知するまでの時間情報を取得する第２の通信手段と、  
上記第２の通信手段で取得した時間情報に基づいてコンテンツデータを選択する選択手段と、  
を備えることを特徴とするコンテンツ出力装置。  
［請求項２］  
上記選択手段で選択したコンテンツデータを再生させる再生制御手段をさらに備えることを特徴とする請求項１記載のコンテンツ出力装置。  
［請求項３］  
上記第２の通信手段は、近接を検知した携帯端末から、上記時間情報と携帯端末のユーザ情報を取得し、  
上記選択手段は、上記第２の通信手段で取得した時間情報とユーザ情報とに基づいてコンテンツデータを選択する、  
ことを特徴とする請求項１または２記載のコンテンツ出力装置。  
［請求項４］  
上記第２の通信手段は、近接を検知した携帯端末に対して、ポイントサービスにおけるポイントの情報を付与して発信することを特徴とする請求項１または２記載のコンテンツ出力装置。  
［請求項５］  
上記第２の通信手段は、ＮＦＣ（Ｎｅａｒ  Ｆｉｅｌｄ  Ｃｏｍｍｕｎｉｃａｔｉｏｎ）技術を用いることを特徴とする請求項１乃至４いずれか記載のコンテンツ出力装置。  
［請求項６］  
所定の識別情報を含む電波を発信する第１の通信工程と、  
上記第１の通信工程で発信した識別信号を受信した携帯端末の近接を検知し、検知した携帯端末から、上記識別情報を受信してから上記近接を検知するまでの時間情報を取得する第２の通信工程と、  
上記第２の通信工程で取得した時間情報に基づいてコンテンツデータを選択する選択工程と、  
を有することを特徴とするコンテンツ出力方法。  
［請求項７］  
コンテンツを出力する装置が内蔵したコンピュータが実行するプログラムであって、上記コンピュータを、  
識別情報を含む電波を発信する第１の通信手段、  
上記第１の通信手段で発信した識別信号を受信した携帯端末の近接を検知し、検知した携帯端末から、上記識別情報を受信してから上記近接を検知するまでの時間情報を取得する第２の通信手段、及び  
上記第２の通信手段で取得した時間情報に基づいてコンテンツデータを選択する選択手段、  として機能させることを特徴とするプログラム。
【符号の説明】
【００８１】
１０…サイネージ装置、
１０Ａ…本体筐体、
１０Ｂ…スクリーンパネル、
１０Ｃ…タッチ部、
２０…スマートフォン、
３１…コンテンツメモリ、
３２…投影画像駆動部、
３３…マイクロミラー素子、
３４…光源部、
３５…ミラー、
３６…投影レンズ部、
４０…ＮＦＣ部、
４１…ＣＰＵ、
４２…メインメモリ、
４３…プログラムメモリ、
４４…操作部、
４５…音処理部、
４６…スピーカ部、
４７…ブルートゥース（登録商標）コントローラ、
４８…無線ＬＡＮインタフェース（Ｉ／Ｆ）、
４９…ブルートゥース（登録商標）アンテナ、
５０…無線ＬＡＮアンテナ、
５１…ＣＰＵ、
５２…プログラムメモリ、
５３…ワークメモリ、
５４…画像メモリ、
５５…撮像制御部、
５６…表示制御部、
５６Ａ…ＶＲＡＭ、
５７…入力制御部、
５８…通信インタフェース（Ｉ／Ｆ）、
５９…ＮＦＣ部、
６０…外部デバイスインタフェース（Ｉ／Ｆ）、
６１…撮像部、
６２…ディスプレイ部、
６３…タッチパネル部、
６４〜６６…アンテナ、
６７…マイクロＵＳＢ端子、
６８…メモリカードスロット、
ＢＣ…ビーコン信号、
ＢＬ…バスライン、
ＢＳ…基地局、
ＮＷ…ネットワーク、
ＳＢ…システムバス、
ＳＶ…サーバ装置。
【図１】
2017156873.tif 000003
【図２】
2017156873.tif 000004
【図３】
2017156873.tif 000005
【図４】
2017156873.tif 000006
【図５】
2017156873.tif 000007
【図６】
2017156873.tif 000008
【図７】
2017156873.tif 000009
【図８】
2017156873.tif 000010
【図９】
2017156873.tif 000011